(57)【特許請求の範囲】
【請求項１】
ヒーターを有した調理庫を内装した本体と、この本体の前面開口部を開閉する扉と、調理物を載置する焼き網を備え、前記調理庫のヒータ取り付け部より前方の側面を開口部に向かって傾斜させ開口部を大きくし焼き網の保持部を前記傾斜部に位置させることを特徴とするオーブントースター。
【発明の詳細な説明】
【０００１】
【発明の属する技術分野】
本発明は、一般家庭で使用するオーブントースターに関するものである。
【０００２】
【従来の技術】
従来この種のオーブントースターは、実開昭６３ー４６７１７号公報に示されているように、例えば図２３のような構造になっていた。即ち、外筐体４０の内部に左右側板と反射板で構成される調理庫４１を形成し、内筐体４２としておりこの内筐体の側壁に上下ヒータ４３、４４を懸架し、かつこの上下ヒータ４３、４４の間に焼網４５を設け、内筐体４２の前側開口部を開閉する扉４６を設け、さらに扉４６下方に上下ヒータ４３、４４への通電を制御する制御部４７が取り付けられている。また、焼網４５上には加熱調理する食パン等の調理物４８が載置されている。
【０００３】
【発明が解決しようとする課題】
しかしこの様な構成では、焼き網を庫内より連結して扉の開閉で網を出し入れする場合やとくに下方に操作部が設けられたものは庫内が見た目小さく見え、かつ有効に使える焼き網寸法が小さくなっていた。本発明はこのような従来の問題点を解決することを目的とするものである。
【０００４】
【課題を解決するための手段】
上記目的を達成するために、本発明の手段は、ヒーターを有した調理庫を内装した本体と、この本体の前面開口部を開閉する扉と、調理物を載置する焼き網を備え、前記調理庫のヒータ取り付け部より前方の側面を開口部に向かって傾斜させ開口部を大きくし焼き網の保持部を前記傾斜部に位置させることを特徴とするオーブントースターとする。この構成により、焼き網の保持部をこの傾斜部により外側に位置させることができ焼き網の横方向の寸法を確保できものである。また焼き網の有効寸法を大きくできるものである。
【０００５】
【発明の実施の形態】
請求項１記載の発明は、ヒーターを有した調理庫を内装した本体と、この本体の前面開口部を開閉する扉と、調理物を載置する焼き網を備え、前記調理庫のヒータ取り付け部より前方の側面を開口部に向かって傾斜させ開口部を大きくしたため、焼き網の保持部をこの傾斜部により外側に位置させることができ焼き網の横方向の寸法を確保できものである。また焼き網の有効寸法を大きくできるものである。
【０００６】
【実施例】
（実施例１）
以下、本発明の第１の実施例について、図面を参照しながら説明する。図１〜４において、１は前面側が開口した外筐体であり、２は左右側板３と反射板４からなる調理庫を形成する内筐体である。
【０００７】
６は前記内筐体の下部に設けられた前反射板である。７は前記前反射板の前方に設けた遮熱板である。８はこの調理器具本体の前面開口部を開閉する扉である。９は調理器具本体の底部の前方より着脱自在に構成されたくず受け皿である。このくず受け皿９は中央部にくずを受ける凹部を９ａを有している。１０は内筐体の底部に設けた底板で両サイドをコ字状の曲げ部１０ａに構成し、上方に規制しかつ前記くず受け皿９を収納している。さらに前記底板１０の前方の両側にフック部１０ｂを形成し、かつこのフック部１０ｂを前記内筐体２の左右側板３の底部の開口穴３ａに引っかけ他方を内筐体２にビス止めしている。
【０００８】
また、くず受け皿９と底板１０はお互いに凸部，９ｂ、１０ｃを形成しくず受け皿９を保持をする構成としている。この凸部の高さで荷重調整をしている。
【０００９】
また、底板１０は前記左右側板４の下方に単独でユニット化して取りつけられているものである。
【００１０】
１１は内筐体２の上部側壁に懸架された上ヒータで遠赤外線１１ａと近赤外線のヒーター１１ｂを設けている。１２は内筐体３の下部側壁に懸架された下ヒータである。１３は上ヒータ１１と下ヒータ１２間に前後にスライド自在に内筐体２に設けた焼き網である。前記扉８の下部の軸を中心に回転自在に本体に取り付けられている。扉８の開閉に連動して焼き網１３は前後にスライドする。
【００１１】
１４は外筐体１の前面の扉８の下方に設けられた前板であり、前板１４には電源スイッチ１５ａ、自動調理ボタン１５ｂ、ＬＥＤ１５ｃ、表示ランプ１５ｅ等の操作部１６が設けられている。
【００１２】
また、前板１４と内筐体２と外筐体１により構成された空間内に上ヒ−タ１１、下ヒ−タ１２を駆動するリレー１７を制御する制御基板１８が設けられている。底板１０はまず底板のフック部１０ｂを左右側板３の開口部３ａに差し込みそのあと反射板４にねじ止めする。このことにより底部が剛性をもつことになる。
【００１３】
また、底板１０は上部をコ字状の曲げ部１０ａに構成してくず受け皿９の抜け止めをしているため、内筐体６に凸などの加工をする必要もない。
【００１４】
以上のように本実施例によれば、くず受け皿を収納する底板はコ字状に曲げて前記底板をガイドしているためくず受け皿の操作力がくず受け皿底板により決定するためくず受けの操作力が安定するものである。
【００１５】
（実施例２）
本発明の第２の実施例について、図２，６を参照しながら説明する。前記調理器具本体の前面開口部を開閉する扉８と調理器具本体の底部に調理器具本体を支える脚２０を前後に２個ずつ設け、前方より着脱自在に構成されたくず受け皿９を前記くず受け皿９のフランジ部９ｂを上方に規制するコ字状の曲げ部１０ａを形成した底板１０を設けている。
【００１６】
また、内筐体に取りつけられた状態ではくず受け皿９が挿入されるように開口している。
【００１７】
また、くず受け皿９は図様にくずを受けるくず受け皿９に設けられた凹部９ａとの挿入をガイドするＬ字状のガイド部２０ａを有する脚２０を前部に設けている。
【００１８】
このように構成していることにより、前面よりくず受け皿を挿入したときまず前部に設けたＬ字状部分にガイドされ乗り上げる。さらに奥に差し込むと前記開口部に位置し挿入されるものである。
【００１９】
従って、くず受け皿をＬ字状のガイド部に乗せると自然に底板の開口部に位置し挿入できるものである。
【００２０】
（実施例３）
本発明の第３の実施例について、図面を参照しながら説明する。図６〜７において、１は前面側が開口した外筐体であり、２は左右側板３と反射板４からなる調理庫を形成する内筐体である。
【００２１】
６は前記内筐体の下部に設けられた前反射板である。７は前反射板の前方に設けた遮熱板である。８はこの調理器具本体の前面開口部を開閉する扉である。９は調理器具本体の底部の前方より着脱自在に構成されたくず受け皿である。１０は内筐体の底部に設けた底板で両サイドをコ字状１０ａに構成し、上方に規制しかつくず受け皿９を収納している。
【００２２】
１１は内筐体２の上部側壁に懸架された上ヒータで遠赤外線１１ａと近赤外線のヒーター１１ｂを設けている。１２は内筐体３の下部側壁に懸架された下ヒータである。
【００２３】
１３は上ヒータ１１と下ヒータ１２間に前後にスライド自在に内筐体２に設けた焼網である。この焼き網１３と連動させるためフック部１４を前記扉８に設けている。前記焼き網１３には前記フック部１４を引っかける引っ掛け部１３ａを設けている。
【００２４】
また、扉８は下部の軸を中心に回転自在に本体に取り付けられ  扉８の開閉に連動して焼き網１３は前後にスライドする。
【００２５】
このような構成で前記左右側板４を開口部に向かって傾斜させ開口部が大きくなるよう構成している。本発明ではヒーター取りつけ部より前方を傾斜させている。
【００２６】
したがって焼き網１３ａのフック部１３がより外側に位置させることができ焼き網寸法が横方向に大きく取ることができる。また、外装体から庫内の先端寸法を小さくすることにより見た目も庫内が広く見える。
【００２７】
（実施例４）
本発明の第４の実施例について、図面を参照しながら説明する。図８〜１２において、１は前面側が開口した外装体であり、２は左右側板３と反射板４からなる調理庫を形成する内筐体である。
【００２８】
５は前記外装体の後方を覆う裏板である。８はこの調理器具本体の前面開口部を開閉する扉である。９は調理器具本体の底部の前方より着脱自在に構成されたくず受け皿である。このくず受け皿は中央部にくずを受ける凹部を９ａを有している。１０は内筐体の底部に設けた底板で両サイドをコ字状の曲げ部１０ａに構成し、上方に規制しかつ前記くず受け皿９を収納している。１１は内筐体２の上部側壁に懸架された上ヒータで遠赤外線１１ａと近赤外線のヒーター１１ｂを設けている。
【００２９】
１２は内筐体２の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。前記扉８の開閉に連動して焼網１３は前後にスライドする。
【００３０】
前記外装体１の後方端部を段差部を有したフランジ部１ａを設け、このフランジ部１ａに開口部１ｂを設けている。
【００３１】
前記本体の後ろを覆う裏板５は上部中央にＴ字形状のフック部５ａと両サイドに嵌合爪５ｂを設け、裏板５の上部を前記調理器具本体の上部の開口穴１ｂに係止し、かつ前記内筐体２にビス止めしている。外装体１の中央の開口部１ｂは上部は下部より小さい開口部として裏板のＴ字形状のフック部が係止するよう構成している。
【００３２】
従って外装体と裏板との組合せを隙間なく確実に取りつけることができかつ組み立てもビスにより後方より締めつけるため作業しやすく工数も削減できるものである。
【００３３】
（実施例５）
本発明の第５の実施例について、図面を参照しながら説明する。図１３〜１５において、１は前面側が開口した外筐体であり、２は左右側板３と反射板４からなる調理庫を形成する内筐体である。この左右側板３は周囲を縁立てしており、前面部にスリット穴３ｂを設けている。
【００３４】
６は前記内筐体の下部に設けられた前反射板である。７は前記前反射板６の前方に設けた遮熱板である。８はこの調理器具本体の前面開口部を開閉する扉である。９は調理器具本体の底部の前方より着脱自在に構成されたくず受け皿である。１０は内筐体の底部に設けた底板で両サイドをコ字状の曲げ部１０ａに構成し、上方に規制しかつ前記くず受け皿９を収納している。１１は内筐体２の上部側壁に懸架された上ヒータで遠赤外線１１ａと近赤外線のヒーター１１ｂを設けている。
【００３５】
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００３６】
１４は外筐体１の前面の扉８の下方に設けられた前板であり、前板１４には電源スイッチ１５ａ、自動調理ボタン１５ｂ、ＬＥＤ１５ｃ、表示ランプ１５ｄ等の操作部１６が設けられている。
【００３７】
また調理器本体の前面開口部を覆うように化粧板２１を設けている。
前板１４は全面を概略板金で構成し遮熱板７を覆うように前板１４を設けている。
【００３８】
更に前板１４は上部の両端につめ曲げ部１４ａを構成しを左右側板３のスリット部３ａに前記前板１４のつめ曲げ部１４ａを差し込み、この前板１４のつめ曲げ部１４ａを覆う化粧板２１をビスにより取りつけている。１７はパネルでこのパネルに取りつけボスに回路基板１９を取りつけている。このように構成しているため前板を化粧板によって共締めすることができ、ビスの本数も少なくて済み組み立てを簡単にすることできる。
【００３９】
（実施例６）
本発明の第６の実施例について、図面を参照しながら説明する。図１７〜１８において、１は前面側が開口した外筐体であり、２は左右側板３と反射板４からなる調理庫を形成する内筐体である。
【００４０】
６は前記内筐体の下部に設けられた前反射板である。７は前記前反射板の前方に設けた遮熱板である。８はこの調理器具本体の前面開口部を開閉する扉である。９は調理器具本体の底部の前方より着脱自在に構成されたくず受け皿である。このくず受け皿は中央部にくずを受ける凹部を９ａを有している。１０は内筐体の底部に設けた底板で両サイドをコ字状の曲げ部１０ａに構成し、上方に規制しかつ前記くず受け皿９を収納している。
【００４１】
１１は内筐体２の上部側壁に懸架された上ヒータで遠赤外線１１ａと近赤外線のヒーター１１ｂを設けている。１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００４２】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１６が設けられている。
【００４３】
前板１４は全面を概略板金で構成し遮熱板７と回路部を覆うように前板１４を設けている。前板１４は上部両端に曲げ部１４ａを構成しを左右側板３のスリット部３ａに前記前板の曲げ部を差し込み、この前板のつめ部を覆う化粧板をビスにより取りつけている。
【００４４】
１７はパネルでこのパネルに取りつけたボス１７ａに回路基板を取りつけている。また前記前板１４は樹脂で構成したパネル１７を前面よりビス止めし、両サイドに固定用の爪１４ｂをつめ曲げして固定している。
【００４５】
本発明では前記パネル１７の両サイドにスリット穴１７ｂを設け、この爪１４ｂが挿入しやすいようにしている。
【００４６】
またパネルの中央部もスイッチ部１７ｃが浮かないように取り付け穴１７ｄを設け、このパネル１７の取り付け穴１７ｄとこの穴に対抗して前板１４も爪１４ｃを有している。
【００４７】
前記ビス止め後を前面は調理メニューゃ操作部を有したシールを設け、前記パネルに回路などの操作部や電源入、切スイッチを設けている。
【００４８】
このように構成しているため樹脂製のパネルで操作部を有するものでも確実に前板と勘合でき操作力のバラツキもなく安定した荷重が得られるものである。
【００４９】
（実施例７）
本発明の第７の実施例について、図面を参照しながら説明する。図１８において、１は前面側が開口した外筐体であり、２は左右側板３と反射板４からなる調理庫を形成する内筐体である。
【００５０】
６は前記内筐体の下部に設けられた前反射板である。７は前記前反射板６の前方に設けた遮熱板である。８はこの調理器具本体の前面開口部を開閉する扉である。９は調理器具本体の底部の前方より着脱自在に構成されたくず受け皿である。１０は内筐体の底部に設けた底板で両サイドをコ字状１０ａに構成し、上方に規制しかつ前記くず受け皿９を収納している。１１は内筐体２の上部側壁に懸架された上ヒータで遠赤外線１１ａと近赤外線のヒーター１１ｂを設けている。
【００５１】
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００５２】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１６が設けられている。
【００５３】
前板１４は全面を概略板金で構成し遮熱板７を覆うように前板１４を設けている。前記前板１４は上部両端に曲げ部１４ａを構成しを左右側板３のスリット部３ａに前記前板１４の曲げ部１４ｂを差し込み、この前板１４のつめ部を覆う化粧板をビスにより取りつけている。
【００５４】
１７はパネルでこのパネル１７に取りつけボス１７ａを設け回路基板１８を取りつけている。さらに前板１４は回路基板１８の下方に冷却用の開口部１４ｃを設けている。
【００５５】
また前記前板は樹脂で構成したパネルを前面よりビス止めし、両サイドをつめ曲げして固定し、本発明では前記パネルの両サイドにスリット穴を設け、このスリット穴に対抗して前板も爪を有している。
【００５６】
パネル１７には前記前板１４および前記遮熱板７が外力により移動しないようにリブ１７ｂを設けている。
【００５７】
前記ビス止め後を前面は調理メニューや操作部を有したシールを設け、前記パネルに回路などの操作部や電源入、切スイッチを設けている。
【００５８】
従ってこのように構成しているため前板の下部および遮熱板に力が加わっても変形することがない。また基板との絶縁距離も確保できるものである。
【００５９】
（実施例８）
本発明の第８の実施例について、図面を参照しながら説明する。図１９〜２０において、１は前面側が開口した外筐体であり、２は左右側板３と反射板４からなる調理庫を形成する内筐体である。
【００６０】
６は前記内筐体の下部に設けられたつめ部を有する前反射板である。７は前記前反射板の前方に設けた両端部につめ部を有する遮熱板である。このつめ部を前記左右側板につめ曲げして組み合わされる。８はこの調理器具本体の前面開口部を開閉する扉である。
【００６１】
９は調理器具本体の底部の前方より着脱自在に構成されたくず受け皿である。このくず受け皿は中央部にくずを受ける凹部を９ａを有している。１０は内筐体の底部に設けた底板で両サイドをコ字状９ａに構成し、上方に規制しかつ前記くず受け皿９を収納している。１１は内筐体２の上部側壁に懸架された上ヒータで遠赤外線１１ａと近赤外線のヒーター１１ｂを設けている。１２は内筐体３の下部側壁に懸架された下ヒータである。
【００６２】
１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００６３】
１４は外筐体１の前面の扉８の右方に設けられた前板であり、前板１４には電源スイッチ１５ａ・自動調理ボタン１５ｂ・ＬＥＤ１５ｃ．表示ランプ１５ｅ等の操作部１６が設けられている。
【００６４】
前反射板６と遮熱板７のつめ部を少なくとも反射板の爪６ａを遮熱板７ａのつめより長く構成したものである。
【００６５】
このように構成したことにより例えば左右側板と反射板を組み立てさらに下方の前反射板と遮熱板を組み立てるとき同時に左右側板につめ部を入れようとした場合入れに難く組み立てずらいものである。さらに前反射板のつめを入れそのあとに遮熱板を入れるとしたら、既に入れてしまった前反射板の爪もはずれるものである。従ってあとから入れる遮熱板の爪を反射板の爪より短くしておくと組み立て性が向上するものである。
【００６６】
（実施例９）
本発明の第９の実施例について、図面を参照しながら説明する。図１８，２１〜２２において、１は前面側が開口した外筐体であり、２は左右側板３と反射板４からなる調理庫を形成する内筐体である。
【００６７】
６は前記内筐体の下部に設けられた前反射板である。７は前記前反射板の前方に設けた遮熱板である。この遮熱板の一部に両サイドより切り起こし部７ｂとリード線保持部７ｃを設けている。８はこの調理器具本体の前面開口部を開閉する扉である。
【００６８】
９は調理器具本体の底部の前方より着脱自在に構成されたくず受け皿である。このくず受け皿は中央部にくずを受ける凹部を９ａを有している。１０は内筐体の底部に設けた底板で両サイドをコ字状９ａに構成し、上方に規制しかつ前記くず受け皿９を収納している。１１は内筐体２の上部側壁に懸架された上ヒータで遠赤外線１１ａと近赤外線のヒーター１１ｂを設けている
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００６９】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１７が設けられている。
【００７０】
遮熱板７に内部配線用のリード保持部７ｃを両サイドまたは片側に設けているものである。従ってこの保持部７Ｃにリード線を保持させた後、折り曲げることによりリード線を固定できるものである。
【００７１】
このように構成したことによりリード線２３の引き回しを安定させることができリード線被服も保護でき絶縁不良などなくすことができる。
【００７２】
【発明の効果】
請求項１記載の発明によれば、ヒーターを有し、左右側板と反射板で構成した調理庫を内装した調理器具本体と、この調理器具本体の前面開口部を開閉する扉と前記内筐体のヒータ取り付け部より前方の左右側面を開口部に向かって傾斜させ開口部を大きくしたため、焼き網の保持部をこの傾斜部により外側に位置させることができ焼き網の横方向の寸法を確保できるものである。また焼き網の有効寸法を大きくできるものである。
【図面の簡単な説明】
【図１】  本発明の実施例におけるオーブントースターの断面図
【図２】  本発明の実施例におけるオーブントースターの要部断面図
【図３】  本発明の実施例におけるオーブントースターの下面から全体図
【図４】  本発明の実施例におけるオーブントースターの外観斜視図
【図５】  本発明の第２実施例におけるオーブントースターの正面図
【図６】  本発明の第３実施例におけるオーブントースターの一部破断図
【図７】  本発明の第３実施例におけるオーブントースターの内筐体を正面から見た図
【図８】  本発明の第４実施例におけるオーブントースターの一部破断図
【図９】  本発明の第４実施例におけるオーブントースターの外装体の一部平面図
【図１０】  本発明の第４実施例におけるオーブントースターの外装体の後ろ板を取り付ける前の図
【図１１】  本発明の第４実施例におけるオーブントースターの後ろより見た図
【図１２】  本発明の第４実施例におけるオーブントースターの側面図
【図１３】  本発明の第５実施例におけるオーブントースターの要部断面図
【図１４】  本発明の第５実施例におけるオーブントースターの前板を取り付ける前の正面図
【図１５】  本発明の第５実施例におけるオーブントースターの前板の図
【図１６】  本発明の第６実施例におけるオーブントースターの要部断面図
【図１７】  本発明の第６実施例におけるオーブントースターの前板の後ろから見た図
【図１８】  本発明の第７実施例におけるオーブントースターの要部断面図
【図１９】  本発明の第８実施例におけるオーブントースターの内筐体の組み立て状態を示す一部破断側面図
【図２０】  本発明の第８実施例におけるオーブントースターの内筐体の一部破断図
【図２１】  本発明の第９実施例におけるオーブントースターの遮熱板のつめ曲げを示す図
【図２２】  本発明の第９実施例におけるオーブントースターのリード線の配線状態を示す図
【図２３】  従来のオーブントースターの要部断面図
【符号の説明】
１    外筐体
２    内筐体
４    反射板
５    調理庫
６    前反射板
７    遮熱板
８    扉
９    くず受け皿
９ａ  凹部
１０    底板
１０ａ  コ字状曲げ部
１０ｂ  フック部
１１    上ヒーター
１２    下ヒーター
１３    焼き網
１４    前板
１６    操作部
１８    制御基板
２０    脚
２０ａ  ガイド部
【図１】
0003711921.tif 000002
【図２】
0003711921.tif 000003
【図３】
0003711921.tif 000004
【図４】
0003711921.tif 000005
【図５】
0003711921.tif 000006
【図６】
0003711921.tif 000007
【図７】
0003711921.tif 000008
【図８】
0003711921.tif 000009
【図９】
0003711921.tif 000010
【図１０】
0003711921.tif 000011
【図１１】
0003711921.tif 000012
【図１２】
0003711921.tif 000013
【図１３】
0003711921.tif 000014
【図１４】
0003711921.tif 000015
【図１５】
0003711921.tif 000016
【図１６】
0003711921.tif 000017
【図１７】
0003711921.tif 000018
【図１８】
0003711921.tif 000019
【図１９】
0003711921.tif 000020
【図２０】
0003711921.tif 000021
【図２１】
0003711921.tif 000022
【図２２】
0003711921.tif 000023
【図２３】
0003711921.tif 000024